(57)【要約】 【課題】手術，処置等を行う入院患者を長待ちさせずに目的階に運搬することにある。【解決手段】実施の形態によれば、一般利用者及び手術、処置等を行う入院患者等の入院患者を運搬するエレベータシステムにおいて、入院患者に関する予約時間、患者ＩＤ及び乗車予約階等の予約スケジュールを管理する病院管理装置５と、入院患者や患者運搬補助機器に装着され、患者ＩＤ情報を記録する情報記録媒体３と、乗場の適宜な場所に設置され、情報記録媒体の患者ＩＤ情報を読取る情報読取検知装置４と、予約時間に達したとき、複数の号機エレベータの中から最適な号機エレベータを割当て、乗場及び号機エレベータのかご内に優先運転中を報知し、優先運転にて患者ＩＤに対応する乗車予約階で待機し、かご呼び登録のもとに号機エレベータを所定階へ直行運転するエレベータ制御装置とを備えた構成である。【選択図】図１
2014172719.tif 000002
【特許請求の範囲】
【請求項１】
複数台の号機エレベータが設置され、一般利用者の他、手術、処置等を行う入院患者を運搬するエレベータシステムにおいて、
前記入院患者の少なくとも予約時間、患者ＩＤ及び乗車予約階等の予約スケジュールを管理する病院管理装置と、
前記入院患者や当該入院患者を運搬する運搬補助機器に装着され、患者ＩＤ情報を記録する情報記録媒体と、
各階の乗場ドア近傍又は乗場の適宜な場所に設置され、前記情報記録媒体の患者ＩＤ情報を読取り検知する情報読取検知装置と、
前記現在時刻が予約時間に達したとき、最適な前記号機エレベータを割当て、前記乗場及び割当て号機エレベータのかご内に優先運転中を報知するとともに、優先運転にて前記患者ＩＤに対応する前記乗車予約階で待機し、前記情報読取検知装置を介して前記患者ＩＤと一致する前記患者ＩＤ情報を検知したとき、かご呼び登録のもとに前記号機エレベータを所定階へ直行運転するエレベータ制御装置と
を備えたことを特徴とするエレベータシステム。
【請求項２】
前記エレベータ制御装置は、前記予約スケジュールから現在時刻が前記予約時間に達したとき、号機割当てルール及び当該予約スケジュールに規定する号機指定の有無を考慮し、最適な号機エレベータを割当てる予約号機割当て手段と、この号機エレベータの割当て後、優先運転案内メッセージを読み取って前記乗場及び割当て号機エレベータのかご内の音声発生器及び表示器から優先運転中であること知らせる優先運転案内手段と、前記号機エレベータの割当て後、以降のかご呼び及び乗場呼びを制限し、優先運転のもとに前記乗車予約階で待機し、前記情報読取検知装置を介して前記患者ＩＤと一致する前記患者ＩＤ情報を検知したとき、かご呼び登録のもとに前記号機エレベータを所定階へ直行運転する優先運転制御手段とを有する運転制御処理部を備えたことを特徴とする請求項１に記載のエレベータシステム。
【請求項３】
前記かご呼び登録を行う手段は、前記入院患者又は付添い人による行先階によるかご呼びがあったとき、そのかご呼び操作に従ってかご呼びを自動登録し、又は前記予約スケジュールに該当患者ＩＤに対応付けて行先階が予約されているとき、その予約行先階に従ってかご呼びを自動登録することを特徴とする請求項１又は請求項２に記載のエレベータシステム。
【請求項４】
請求項１ないし請求項３の何れか一項に記載のエレベータシステムにおいて、
前記エレベータ制御装置又は当該エレベータ制御装置の運転制御処理部は、前記情報読取検知装置が前記情報記録媒体から予約された前記患者ＩＤと一致する前記患者ＩＤ情報を検知することなく所定時間経過したとき、前記予約スケジュールから予約された該当患者ＩＤの予約を解除し、かつ、前記病院管理装置に対して該当患者ＩＤに対応する入院患者が来ていないことを通報する予約解除手段を、さらに設けたことを特徴とするエレベータシステム。
【請求項５】
複数台の号機エレベータが設置され、一般利用者の他、救急患者を運搬するエレベータシステムにおいて、
前記救急患者の少なくとも救急患者ＩＤ及び所定階への最優先データを規定する予約スケジュールを管理する病院管理装置と、
前記救急患者や当該救急患者を運搬する運搬補助機器に装着され、救急患者用ＩＤ情報を記録する情報記録媒体と、
各階の乗場ドア近傍又は乗場の適宜な場所に設置され、前記情報記録媒体から救急患者用ＩＤ情報を読取り検知し、装置ＩＤ情報とともに出力する情報読取検知装置と、
各情報読取検知装置の装置ＩＤと乗場階との関係を規定する乗場位置テーブルと、前記情報読取検知装置を介して前記情報記録媒体の救急患者用ＩＤ情報を検知したとき、号機割当てルール及び前記予約スケジュールに規定する号機指定の有無を考慮し、最適な号機エレベータを割当てる患者号機割当て手段と、前記号機エレベータを割当て後、前記乗場及び割当て号機エレベータのかご内へ緊急運転中を報知する緊急運転案内手段と、前記号機エレベータの割当て後、建物の基準階又は前記情報読取検知装置からの装置ＩＤ情報に基づいて前記乗場位置テーブルから取得されるＩＤ検知階に緊急運転して待機し、前記救急患者が該当号機エレベータに乗車した後、所定階へのかご呼び自動登録を行って直行運転する緊急運転制御手段とを有する運転制御処理部を設けたエレベータ制御装置と
を備えたことを特徴とするエレベータシステム。
【請求項６】
前記所定階へのかご呼び自動登録は、前記救急患者の付添い人による行先階のかご呼び又はかご呼び操作無しに前記予約スケジュールに規定する目的階に従ってかご呼び自動登録することを特徴とする請求項５に記載のエレベータシステム。
【請求項７】
前記請求項５又は前記請求項６に記載のエレベータシステムに、前記請求項１、２、４の何れか一項に記載するエレベータ制御装置を付加し、
前記情報読取検知装置が前記情報記録媒体の救急患者ＩＤ情報を検知しないとき、前記請求項１、２、４の何れか一項に記載のエレベータ制御装置を用いて、前記入院患者に対する優先運転に関する一連の処理を実行することを特徴とするエレベータシステム。
【発明の詳細な説明】
【技術分野】
【０００１】
本発明の実施の形態は、エレベータシステムに関する。
【背景技術】
【０００２】
エレベータの群管理システムでは、乗場呼びの発生に備えて予め適切な階に待機させておく分散待機や利用者の出退勤の混雑に合わせた出退勤時運転など、エレベータの運行効率を上げるための手段が数多く備えられている。
【０００３】
また、従来、各階乗場に情報読取検知装置が設置され、待機中の利用者の情報から、例えば利用者の数が少ないと検知した場合には積載量の少ないエレベータを割当て、車いす利用者やベビーカーの利用者と検知した場合には積載量の多いエレベータを割当てるなどの手段を講じたエレベータシステムが知られている。
【０００４】
さらに、各階乗場に情報読取検知装置が設置され、利用者がベッドや車いすなどの運搬補助機器などを利用して待機しているとき、混雑時に限って一時的に乗車を制限し、一般利用者の待ち時間を短縮するエレベータシステムも知られている。
【先行技術文献】
【特許文献】
【０００５】
【特許文献１】特開２０１２−０５６７２５号公報
【特許文献２】特開２０１０−２０２３６３号公報
【発明の概要】
【発明が解決しようとする課題】
【０００６】
従って、以上のようなエレベータシステムは、エレベータの運行効率を上げるとか、省エネを実現するための運転制御に重点がおかれ、個々の利用者の状態等を考慮した運転制御がなされていない。その結果、例えば、病院施設などでは、予め手術や必要な処置を行う病院の入院患者のようにスケジュール管理されている患者や緊急を要する患者（救急患者）など、時間が決められている患者を長待ちさせてしまう問題がある。
【０００７】
本発明が解決しようとする課題は、時間的に急を要する入院患者や救急患者等の入院患者を長待ちさせずに迅速に目的階に運搬するエレベータシステムを提供することにある。
【課題を解決するための手段】
【０００８】
上記課題を解決するために、実施の形態に係るエレベータシステムは、複数台の号機エレベータが設置され、一般利用者のほか、手術、処置等を行う入院患者などの入院患者を運搬するエレベータシステムであって、前記入院患者の少なくとも予約時間、患者ＩＤ及び乗車予約階等の予約スケジュールを管理する病院管理装置と、前記入院患者や当該入院患者を運搬する運搬補助機器に装着され、患者ＩＤ情報を記録する情報記録媒体と、各階の乗場ドア近傍又は乗場の適宜な場所に設置され、前記情報記録媒体の患者ＩＤ情報を読取り検知する情報読取検知装置と、前記現在時刻が予約時間に達したとき、最適な前記号機エレベータを割当て、前記乗場及び割当て号機エレベータのかご内に優先運転中を報知するとともに、優先運転にて前記患者ＩＤに対応する前記乗車予約階で待機し、前記情報読取検知装置を介して前記患者ＩＤと一致する前記患者ＩＤ情報を検知したとき、かご呼び登録のもとに前記号機エレベータを所定階へ直行運転するエレベータ制御装置とを備えた構成である。
【図面の簡単な説明】
【０００９】
【図１】各実施の形態に係るエレベータシステムの全体構成を概略的に示す図。
【図２】各エレベータ号機で使用される乗りかご内部の一構成例図。
【図３】第１の実施の形態に係るエレベータシステムの主要構成を概略的に説明する図。
【図４】図３に示す病院管理装置のデータベースに形成される患者スケジュールテーブルのデータ配列例図。
【図５】第１の実施の形態に係るエレベータシステムの処理手順を説明するフローチャート。
【図６】第２の実施の形態に係るエレベータシステムの主要構成を概略的に説明する図。
【図７】第２の実施の形態に係るエレベータシステムの処理手順を説明するフローチャート。
【図８】第３の実施の形態に係るエレベータシステムの主要構成を概略的に説明する図。
【図９】救急患者が来院した際の乗場階を特定するための乗場位置テーブルのデータ配列例図。
【図１０】第３の実施の形態に係るエレベータシステムの処理手順を説明するフローチャート。
【発明を実施するための形態】
【００１０】
以下、実施の形態について図面を参照して説明する。なお、各図において、同一又は類似した機能を有する構成要素には全て同一の参照符号を付し、重複する説明は省略する。
【００１１】
図１はエレベータシステムの全体構成を概略的に示す図である。
【００１２】
エレベータシステムは、建物に設置される昇降路内を昇降する複数台（例えば３台）の号機エレベータ（エレベータ装置）１ａ，１ｂ，１ｃ（以下、複数台の号機エレベータ１ａ，１ｂ，１ｃは、説明の便宜上、号機エレベータ１と呼ぶ）と、手術、処置等を行う入院患者や救急患者等ｍ１，ｍ２，ｍ３，…や重症患者・救急患者の搬送用ベッド、車いすなどの運搬補助機器２などに取り付けられるＩＤタグ３と、このＩＤタグ３が近づいたとき、無線通信手段によってＩＤタグ３に記録される患者ＩＤ情報を読み取る情報読取検知装置４と、病院管理装置５と、エレベータ制御装置６とを含む構成である。
【００１３】
各号機エレベータ１は、昇降路（図示せず）頂部の適宜な場所に設置された巻上機１１、これら巻上機１１にそれぞれ巻き掛けられたメインロープ１２の一端部に吊り下げられた乗りかご１３（図２参照）、各メインロープ１２の他端部に吊り下げられたつり合いおもり１４などを備えている。
【００１４】
さらに、建物の各階乗場１５には、入院患者や救急患者等ｍ１，ｍ２，ｍ３，…を乗りかご１３に乗降させるための乗場ドア１６が設けられ、これら乗場ドア１６の近傍には乗場操作盤１７が設置されている。
【００１５】
各乗場操作盤１７には、乗場呼びボタン１７ａ、優先・緊急運転等の運転案内メッセージを表示する乗場音声発生器１７ｂや乗場表示器１７ｃが設けられている。
【００１６】
各乗りかご１３は、図２に示すようにかごドア１３ａ一側部の側板パネル１３ｂにかご操作盤１３ｃが設置されている。かご操作盤１３ｃには、ドア開閉ボタン１３ｄ、行先階指定ボタン１３ｅ、優先・緊急運転等の運転案内メッセージを出力するかご内音声発生器１３ｆやかご内表示器１３ｇが設けられている。
【００１７】
なお、かご操作盤１３ｃのかご内表示器１３ｇに代えて、かご室上部の天幕１３ｈにかご内表示器１３ｉを設け、優先・緊急運転等の運転案内メッセージを表示する構成であってもよい。
【００１８】
ＩＤタグ３は、無線ＩＣタグ，非接触ＩＣタグ、ＲＦＩＤタグを含む非接触情報記録媒体であって、入院患者や救急患者等ｍ１，ｍ２，ｍ３，…を特定するための患者ＩＤ情報が記録されている。
【００１９】
情報読取検知装置４は、乗場ドア１６の上部近傍又は乗場ドア１６近傍あるいは乗場１５の適宜な場所に設置され、病院の入院患者・救急患者等ｍ１，ｍ２，ｍ３，…や患者搬送用ベッド・車いす等の運搬補助機器２などに装着されるＩＤタグ３が所定の距離範囲内に入ると、ＩＤタグ３内に記録される患者ＩＤ情報を読み取ってエレベータ制御装置６に送信する。
【００２０】
病院管理装置５は、図３に示すように、少なくともＣＰＵを備えたスケジュール作成処理部５Ａと、スケジュールデータベース５Ｂと、このスケジュールデータベース５Ｂ上に入院患者のうち例えば手術や処置を行うための患者スケジュールテーブル５Ｂ１（図４参照）を作成するために必要な制御指示やスケジュールデータを入力するキーボード，マウスなどの入力部５Ｃと、患者スケジュールテーブル５Ｂ１の作成結果を表示し確認する表示部５Ｄとを備える。
【００２１】
エレベータ制御装置６は、図３に示すように、エレベータ群管理制御機能を備えたものであって、エレベータ利用者による乗場呼び又はかご呼びに応じて、その呼び登録階に最適な号機エレベータ１を選択し、該当号機制御装置（図示せず）を介して号機エレベータ１の巻上機１１を所望の回転速度で駆動制御することにより、通常運転を実行する。
【００２２】
また、エレベータ制御装置６は、病院管理装置５の患者スケジュールテーブル５Ｂ１に記録される予約情報を参照し、あるいはＩＤタグ３の患者ＩＤ情報を検知し、入院患者、緊急患者等ｍ１，ｍ２，ｍ３，…の待ち時間を短縮するための一連の処理を実行する。
【００２３】
以下、病院管理装置５を含むエレベータ制御装置６の構成及び動作に係る各実施の形態について具体的に説明する。
【００２４】
（第１の実施の形態）  
第１の実施の形態に係るエレベータシステムについて、図３ないし図５を参照して説明する。
【００２５】
エレベータシステムは、前述したようにＩＤタグ３、情報読取検知装置４、病院管理装置５の他、エレベータ制御装置６を備える構成である。
【００２６】
病院管理装置５では、少なくともスケジュールデータベース５Ｂには、図４に示すように患者スケジュールテーブル５Ｂ１が形成されている。患者スケジュールテーブル５Ｂ１には、例えば、病院施設の当日の手術、処置等に行う入院患者等ｍ１，ｍ２，…の手術・処置等の予約時間、患者ＩＤ、乗車予約階、号機指定有無、必要に応じて行先階などに項目分けされて時系列的に記録されている。
【００２７】
なお、予約時間は、一例として手術・処置等の時間から所定時間前の時間を範囲として設定する。例えば処置行為が９時１５分の場合、所定時間前の余裕時間を５分とすると、予約時間は９：１０〜９：１５となる。また、手術行為が９時３０分の場合、所定時間前の余裕時間を１５分とすると、予約時間は９：１５〜９：３０となる。手術が処置よりも移動等に要する準備時間がかかるので、余裕時間を長くしたが、これらの設定時間は過去の実積を踏まえて適宜に設定変更していけばよい。また、手術・処置等の時間を基準とし、その前後に所要の余裕時間を付加して予約時間を設定してもよい。
【００２８】
号機指定は、例えば運搬用ベッドなどの運搬補助機器２を利用する場合、予め大型の号機エレベータがあれば、当該号機エレベータを指定する。
【００２９】
また、行先階については、入院患者ｍ１，ｍ２，…又は付添い人が行先階のかご呼びを操作する場合には必要ないが、例えば行先階のかご呼び操作が難しいとか、あるいは手術室や処置室等の階を忘れることを考慮して行先階を予約することにより、その予約された行先階に基づいてかご呼びの自動登録を行うものである。
【００３０】
エレベータ制御装置６は、前述したようにエレベータ群管理制御機能を備えたものであって、通常運転用プログラム及び例えば図５に示す入院患者運転用プログラムなどを記憶する主記憶装置６１と、プログラム処理上必要な各種のデータを記憶する補助記憶装置６２と、ＣＰＵを備えた運転制御処理部６３とを含む構成である。さらに、エレベータ制御装置６は、各巻上機１１にそれぞれ対応する号機制御装置を備えているが、ここでは省略する。
【００３１】
補助記憶装置６２には、少なくとも号機割当てルール６２ａ及び優先・緊急等の運転案内メッセージデータ６２ｂが記憶されている。
【００３２】
運転制御処理部６３は、機能的には，タイマー６３Ａ、患者スケジュールテーブル５Ｂ１から予約状況を確認しながら予約時間に入ったときに最適な号機エレベータを割当てる予約号機割当て手段６３Ｂ、優先運転の運転案内メッセージを出力する優先運転案内手段６３Ｃ、優先運転制御手段６３Ｄが設けられている。
【００３３】
次に、第１の実施の形態に係るエレベータシステムの一連の処理手順について、図５を参照して説明する。
【００３４】
先ず、病院施設のスケジュール管理担当者は、病院管理装置５を用いて、スケジュールデータベース５Ｂ上に図４に示す患者スケジュールテーブル５Ｂ１を作成する。患者スケジュールテーブル５Ｂ１としては、入院患者のうち、当日に例えば手術や処置を行う患者ｍ１，ｍ２，…のスケジュール，例えば予約患者が予約時間内に乗車予約階から手術室階にエレベータを利用することを登録する。
【００３５】
以上のようにして患者スケジュールテーブル５Ｂ１を作成した後、エレベータ制御装置６が動作を開始すると、運転制御処理部６３は通常運転用プログラムに基づいて通常運転制御を実行する（Ｓ１）。
【００３６】
しかる後、運転制御処理部６３は、制御周期ごとに予約号機割当て手段６３Ｂを実行する。
【００３７】
すなわち、予約号機割当て手段６３Ｂは、タイマー６３Ａで刻時される現在時間（例えば時・分）に基づき、患者スケジュールテーブル５Ｂ１を照合し、手術等を行う入院患者の予約状況を確認する（Ｓ２）。具体的には、患者スケジュールテーブル５Ｂ１から予約有りか（Ｓ３）、有りの場合には予約時間内かを確認する（Ｓ４）。ここで、テーブル５Ｂ１には例えば９：１０〜９：１５の予約時間で入院患者ｍ３が登録されており、一方、タイマー６３Ａが９時１０分を刻時したとき、予約時間内に入ったと確認する。
【００３８】
引き続き、次のステップＳ５に進んで号機指定有りかを確認し、号機指定無しの場合には、号機割当てルール６２ａに基づき、待機中号機有りか（Ｓ６）、無しの場合には乗車予約階に一番早く到着する到着号機を割当てる（Ｓ７）。なお、ステップＳ５にてテーブル５Ｂ１に号機指定があれば、その指定号機を割り当て（Ｓ８）、また、ステップＳ６にて待機号機があれば、待機号機を割り当てる（Ｓ９）。
【００３９】
以上のようにして最適な号機エレベータを割当てると、割当て号機の号機制御装置（図示せず）に運転制御指示を出し、該当巻上機１１を回転駆動する。
【００４０】
運転制御処理部６３は、最適な号機エレベータの割当て後、優先運転案内手段６３Ｃを実行する。  
優先運転案内手段６３Ｃは、補助記憶装置６２から予め定められた優先運転案内メッセージデータ６２ｂを読み出し、乗車予約階となる乗場１５のみの乗場音声発生器１７ｂから乗車予約階に優先運転中であることを音声出力し、さらに、割当てた号機エレベータに対応する各階乗場の乗場表示器１７ｂに乗車予約階への優先運転中であることを表示する（Ｓ１０）。
【００４１】
また、優先運転案内手段６３Ｃは、優先運転案内メッセージデータ６２ｂに基づいて割当て号機の乗りかご１３内のかご内音声発生器１３ｆから乗車予約階への優先運転中であることを音声出力し、また、かご内表示器１３ｇに乗車予約階への優先運転中であることを表示する（Ｓ１１）。
【００４２】
さらに、運転制御処理部６３は、優先運転案内手段６３Ｃによる優先運転の報知とほぼ同時に優先運転制御手段６３Ｄを実行する。
【００４３】
優先運転制御手段６３Ｄは、乗車予約階に向って運転するが、このとき各階の乗場呼びをキャンセルし、以後のかご呼び及び乗場呼びを制限し、既にかご呼びの登録階だけに順次応答し、利用者を降していく（Ｓ１２）。
【００４４】
優先運転制御手段６３Ｄは、割当て号機エレベータが乗車予約階に到着した後、ドア開状態で待機し（Ｓ１３）、予約入院患者「ｍ３」の患者ＩＤ情報を検知したか否かを判断する（Ｓ１４）。ここで、患者ＩＤ情報が検知されないとき、ステップＳ１３に戻るが、情報読取検知装置４にて検知されたＩＤタグ３の患者ＩＤ情報が患者スケジュールテーブル５Ｂ１に予約中の患者ＩＤ「ｍ３」であれば、その予約された入院患者ｍ３又は付添い人による行先階指定ボタン１３ｅによるかご呼びに従って自動登録を行い、該当号機エレベータの号機制御装置（図示せず）に運転制御指示を出し、該当号機エレベータの巻上機１１を駆動してかご呼び登録された行先階へ直行運転し予約患者を降ろす（Ｓ１５）。
【００４５】
さらに、運転制御処理部６３は、処理継続であれば（Ｓ１６）、ステップＳ１に戻って通常運転に復帰し、前述する一連の処理を繰り返し実行する。
【００４６】
従って、以上のような第１の実施の形態によれば、予約入院患者等に対して、予約時間内に入ると乗車予約階に待機し、予約患者ＩＤ情報を検知したとき、予約患者又は付添い人のかご呼びによる自動登録のもとに行先階に向けて直行運転するので、混み合う時間帯であっても手術や処置等を行う予約患者を長待ちさせずに早期に搬送することができる。
【００４７】
なお、上記実施の形態では、予約患者又は付添い人によるかご呼び操作のもとにかご呼びの自動登録を行ったが、例えば図４に示すように予め患者スケジュールテーブル５Ｂ１に行先階が登録されている場合には、かご呼び操作無しで行先階のかご呼びを自動登録することにより、予約患者を早期に搬送することができる。
【００４８】
（第２の実施の形態）  
第２の実施の形態に係るエレベータシステムについて、図６及び図７を参照して説明する。
【００４９】
図６は第２の実施の形態に係るエレベータシステムの構成を概略的に示す図である。なお、同図において、図３と同一ないし等価な構成部分には同一符号を付して、詳しい説明は省略する。
【００５０】
第２の実施の形態は、第１の実施の形態を説明する図３に示すエレベータ制御装置６における運転制御処理部６３に新たに予約解除手段６３Ｅを設けたものである。すなわち、運転制御処理部６３は、機能的には、タイマー６３Ａ、予約号機割当て手段６３Ｂ、優先運転案内手段６３Ｃ及び優先運転制御手段６３Ｄの他、新たに予約解除手段６３Ｅを設けた構成である。
【００５１】
次に、第２の実施の形態に係るエレベータシステムの一連の処理手順について、図７を参照して説明する。
【００５２】
エレベータ制御装置６の運転制御処理部６３は、予約号機割当て手段６３Ｂ、優先運転案内手段６３Ｃ、優先運転制御手段６３Ｄを実行し、図５と同様にステップＳ１からＳ１３までの処理を行う。すなわち、運転制御処理部６３は、患者スケジュールテーブル５Ｂ１の予約状況に従って号機エレベータの割当て及び優先運転案内を行った後、割当て号機エレベータを乗車予約階に到着させてドア開待機の状態に設定する。
【００５３】
このとき、運転制御処理部６３の優先運転制御手段６３Ｄは、割当て号機エレベータがドア開待機の状態にあるとき、情報読取検知装置４を介してＩＤタグ３から予約中の患者ＩＤ情報を検知したか否かを判断する（Ｓ１４）。ここで、予約中の患者ＩＤ情報を検知しないとき、予約解除手段６３Ｅを実行する。
【００５４】
運転制御処理部６３の予約解除手段６３Ｅは、ステップＳ１４にて予約患者の患者ＩＤ情報を検知しないとき、ステップＳ２１に移行し、予め定める所定時間を経過したか否かを判断する。ここで、所定時間を経過していない場合にはステップＳ１３に戻り、所定時間経過まで同様の処理を繰り返し実行する（Ｓ２１）。
【００５５】
そして、ステップＳ２１において、予約患者ＩＤ情報を検知せずに所定時間を経過したとき、患者スケジュールテーブル５Ｂ１に予約された患者ＩＤ，例えば「ｍ３」に予約スケジュールを解除した後（Ｓ２２）、該当予約患者［ｍ３］が来ていないことを表す予約異常を送信し、病院管理装置５のスケジュール管理担当者などに通報する（Ｓ２３）。
【００５６】
以上のような第２の実施の形態によれば、予約患者のスケジュールに基づき、予約時間に入ったときに号機エレベータを割当てて優先運転にて乗車予約階にドア開待機中、予約された患者の患者ＩＤ情報が検出されずに所定時間経過したとき、該当予約患者の予約をキャンセルする構成としたので、前記第１の実施の形態と同様の効果を得られる他、一般利用者のエレベータ待ち時間を最小に抑えることができる。
【００５７】
すなわち、第２の実施の形態によれば、予約患者のスケジュールを優先するが、予め定める所定時間を経過したとき、そのまま乗場待機を続けると一般利用者にも影響を与えるので、実際状況に応じて一般利用者のサービスに切り替えることで、エレベータの利用者の運搬効率を向上させることができる。
【００５８】
さらに、予約患者が予約時間＋所定時間内に乗車しなかったとき、病院管理装置５側に乗車無し及び予約解除を意味する異常送信を通報することで、病院側が行う患者スケジュール管理において、予約患者の行動を把握する場合にも貢献できる。
【００５９】
（第３の実施の形態）  
第３の実施の形態に係るエレベータシステムについて、図８ないし図１０を参照して説明する。
【００６０】
図８は第３の実施の形態に係るエレベータシステムの構成を概略的に示す図である。なお、同図において、図３、図６と同一ないし等価な構成部分には同一符号を付して、詳しい説明は省略する。
【００６１】
第３の実施の形態は、図６に示すエレベータ制御装置６の運転制御処理部６３に、新たに患者号機割当て手段６３Ｆ、緊急運転案内手段６３Ｇ、緊急運転制御手段６３Ｈを設けた構成である。
【００６２】
また、本実施の形態では、例えば患者スケジュールテーブル５Ｂ１には、少なくとも手術等を行う緊急患者用ＩＤタグ３に対応する緊急患者ＩＤ及び目的階（手術室階）への最優先データ（フラグ）の他、必要に応じて号機指定データが規定されている。
【００６３】
次に、第３の実施の形態に係るエレベータシステムの一連の処理手順について、図１０を参照して説明する。
【００６４】
エレベータ制御装置６の運転制御処理部６３は、動作の開始と共に通常運転用プログラムに基づいて通常運転を実行する（Ｓ１）。
【００６５】
運転制御処理部６３は、通常運転処理中に所定の周期ごとに患者号機割当て手段６３Ｆを実行する。
【００６６】
患者号機割当て手段６３Ｆは、各階乗場１５に設置された情報読取検知装置４を介して救急患者又は患者運搬補助機器２に装着される緊急患者用ＩＤタグ３の緊急患者ＩＤ情報を検知したか否かを判断する（Ｓ３１）。このとき、情報読取検知装置４からは当該情報読取検知装置４を識別させる装置ＩＤ情報を出力している。
【００６７】
運転制御処理部６３は、ステップＳ３１にてＩＤタグ３の緊急患者用ＩＤ情報を検知しない場合、図５及び図７のステップＳ２〜Ｓ１６、Ｓ２１〜Ｓ２３の処理手順に従って所定の処理を実行する。なお、ステップＳ２〜Ｓ１６、Ｓ２１〜Ｓ２３については、既に図５、図７にて説明しているので、ここでは省略する。
【００６８】
患者号機割当て手段６３Ｆは、ステップＳ３１にて緊急患者用ＩＤタグ３の緊急患者ＩＤ情報を検知した場合、例えば患者スケジュールテーブル５Ｂ１に病院側による号機指定が有るか否かを確認する（Ｓ３２）。号機指定無しの場合には、待機中号機有りか（Ｓ３３）、無しの場合には号機割当てルール６２ａに基づき、乗車予約階に一番早く到着する到着号機エレベータを割当て、該当号機エレベータ対応制御装置（図示せず）に運転制御指示を出す（Ｓ３４）。
【００６９】
なお、ステップＳ３２にてテーブル５Ｂ１に号機指定があれば、その指定号機を割り当て（Ｓ３５）、また、ステップＳ３３にて待機号機があれば、待機号機を割り当てる（Ｓ３６）。
【００７０】
次に、運転制御処理部６３は緊急運転案内手段６３Ｇを実行する。  
緊急運転案内手段６３Ｇは、号機エレベータの割当て後、各階の乗場１５にいる他の一般利用者が誤って割当てた号機エレベータに乗車しないよう案内する。すなわち、緊急運転案内手段６３Ｇは、補助記憶装置６２に記憶される緊急運転の運転案内メッセージデータ６２ｂを読み出し、乗車予約階となる乗場だけの乗場音声発生器１７ｂから緊急運転中であることを音声出力し、さらに、割当て号機に対応する各階乗場の乗場表示器１７ｂに対して乗車予約階への緊急運転中であることを表示する（Ｓ３７）。
【００７１】
また、緊急運転案内手段６３Ｇは、割当てた号機エレベータの乗りかご１３内のかご内音声発生器１３ｆから乗車予約階へ緊急運転中であることを音声出力し、また、かご内表示器１３ｇに乗車予約階へ緊急運転中であることを表示する（Ｓ３８）。
【００７２】
このとき、運転制御処理部６３は、緊急運転案内手段６３Ｇと同時並行的に緊急運転制御手段６３Ｈを実行する。
【００７３】
緊急運転制御手段６３Ｈは、各階の乗場呼びをキャンセルし、以後のかご呼び及び乗場呼びを制限し、既にかご呼びの登録階だけに応答し、順次利用者を降ろしていく（Ｓ３９）。そして、緊急運転制御手段６３Ｈは、患者運搬用ベッドなどの運搬補助機器２を搬入・搬出する予め定めた基準階、又はステップ３２において情報読取検知装置４から緊急患者用ＩＤ情報とともに送られてくる装置ＩＤ情報に基づき、補助記憶装置６２の乗場位置テーブル６２ｃ（図９参照）から取得される乗場階であるＩＤ情報検知階に向けて運転する。そして、該当号機エレベータは基準階又はＩＤ情報検知階に到着してドア開待機状態とする（Ｓ４０）。
【００７４】
さらに、緊急運転制御手段６３Ｈは、救急患者を搬送する運搬補助機器２が該当号機エレベータに乗ると、行先階指定ボタン１３によるかご呼び又は患者スケジュールテーブル５Ｂ１に規定する最優先データである目的階（手術室階）に基づき、かご呼びの自動登録を行い、該当号機エレベータの制御装置（図示せず）に運転制御指示を出し、該当号機エレベータの巻上機１１を駆動して行き先階へ直行運転し救急患者を降ろす（Ｓ４１）。
【００７５】
さらに、運転制御処理部６３は、処理継続の有無を判断し（Ｓ１６）、処理継続であればステップＳ１に戻って通常運転に復帰し、前述する一連の処理を繰り返し実行する。
【００７６】
従って、以上のような第３の実施の形態によれば、救急患者や緊急を要する入院患者等のＩＤ情報を検知したとき、最適な号機エレベータを割当て、目的階へ救急運転するので、救急患者や緊急を要する入院患者を長待ちさせることなく目的階に早期に運搬することができる。
【００７７】
さらに、各実施の形態においては、何れも優先運転時や緊急運転時に、優先運転中や緊急運転中であること、ひいては乗場呼びができないことを乗場操作盤１７の音声発生器１７ｂ，乗場表示器１７ｃを通して周知するので、その他の一般利用者が該当乗場前で待っても乗車できないことを即座に分かり、無駄な乗車待ち時間を最小限に抑えることができる。
【００７８】
なお、本実施の形態において、患者スケジュールテーブル５Ｂ１に救急患者の予約時間を設定する場合、道路事情等から時間遅れが生じ易いので、病院内の予約患者よりも長めの余裕時間を設定するのが望ましい。特に、患者スケジュールテーブル５Ｂ１に入院患者と外部の救急患者とを混在させた状態で予約スケジュールを立てる場合に考慮する必要がある。
【００７９】
（その他の実施の形態）
（１）  上記各実施の形態では、専ら病院施設における入院患者や救急患者に対するエレベータの運転制御について説明したが、例えば震災発生時、ある建物のある階を手術，処置等の救護室と設定し、救急患者や緊急を要する患者の運搬を行う場合、病院施設に準じて同様に上記実施の形態に係るエレベータシステムを適用できるものである。
【００８０】
この場合には、エレベータ制御装置のデータベースなどに患者スケジュールテーブル５Ｂ１を構築することで対応することができる。
【００８１】
（２）  上記第３の実施の形態では、救急患者に関するエレベータの運転制御と手術、処置等を行う入院予約患者に関するエレベータの運転制御との両方を記載したが、例えば救急患者に関するエレベータの運転制御（Ｓ１，Ｓ３２〜Ｓ４１，Ｓ１６）に関する構成を要部とする発明であってもよい。
【００８２】
（３）  各実施の形態においては、乗場１５への優先運転案内（Ｓ１０）及びかご内の優先運転案内（Ｓ１１）の後に、乗場呼びキャンセル、呼び制限等（Ｓ１２）を行ったが、例えば乗場１５への優先運転案内（Ｓ１０）の後に乗場呼びキャンセル、呼び制限等（Ｓ１２）、かご内の優先運転案内（Ｓ１１）を行う処理順序であってもよい。また、第３の実施の形態を説明する緊急運転案内ステップＳ３７、Ｓ３８、Ｓ３９においても、処理順序を変えてもよい。
【００８３】
（４）  さらに、各実施の形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
1、１ａ，１ｂ，１ｃ…号機エレベータ（エレベータ装置）、２…患者運搬補助機器、３…ＩＤタグ、４…情報読取検知装置、５…病院管理装置、５Ａ…スケジュール作成処理部、５Ｂ…スケジュールデータベース、５Ｂ１…患者スケジュールテーブル、６…エレベータ制御装置、１１…巻上機、１３…乗りかご、１３ｃ…かご操作盤、１３ｆ…かご内音声発生器、１３ｇ，１３ｉ…かご内表示器１５…乗場、１７…乗場操作盤、１７ｂ…乗場音声発生器、１７ｃ…乗場表示器、６１…主記憶装置、６２…補助記憶装置、６２ａ…号機割当てルールデータ、６２ｂ…優先運転・緊急の運転案内メッセージデータ、６２ｃ…乗場位置テーブル、６３…運転制御処理部、６３Ａ…タイマー、６３Ｂ…予約号機割当て手段、６３Ｃ…優先運転案内手段、６３Ｄ…優先運転制御手段、６３Ｅ…予約解除手段、６３Ｆ…患者号機割当て手段、６３Ｇ…緊急運転案内手段、６３Ｈ…緊急運転制御手段、ｍ１，ｍ２，ｍ３…患者。
【図１】
2014172719.tif 000003
【図２】
2014172719.tif 000004
【図３】
2014172719.tif 000005
【図４】
2014172719.tif 000006
【図５】
2014172719.tif 000007
【図６】
2014172719.tif 000008
【図７】
2014172719.tif 000009
【図８】
2014172719.tif 000010
【図９】
2014172719.tif 000011
【図１０】
2014172719.tif 000012
【手続補正書】
【提出日】平成26年4月23日(2014.4.23)
【手続補正１】
【補正対象書類名】特許請求の範囲
【補正対象項目名】請求項１
【補正方法】変更
【補正の内容】
【請求項１】
複数台の号機エレベータが設置され、一般利用者の他、手術、処置等を行う入院患者を所定階に運搬する病院施設用のエレベータシステムにおいて、
前記入院患者の少なくとも予約時間、患者ＩＤ及び乗車予約階等の予約スケジュールを管理する病院管理装置と、前記入院患者や当該入院患者を運搬する運搬補助機器に装着され、患者ＩＤ情報を記録する非接触情報記録媒体と、各階の乗場ドア近傍又は乗場の適宜な場所に設置され、前記情報記録媒体の患者ＩＤ情報を読取り検知する情報読取検知装置と、現在時刻が予約時間に達したとき、最適な前記号機エレベータを割当て、前記乗場及び割当て号機エレベータのかご内に優先運転中を報知するとともに、優先運転にて前記患者ＩＤに対応する前記乗車予約階で待機し、前記情報読取検知装置を介して前記患者ＩＤと一致する前記患者ＩＤ情報を検知したとき、かご呼び登録のもとに前記号機エレベータを前記所定階へ直行運転するエレベータ制御装置とを備えたことを特徴とするエレベータシステム。
【手続補正２】
【補正対象書類名】特許請求の範囲
【補正対象項目名】請求項５
【補正方法】変更
【補正の内容】
【請求項５】
複数台の号機エレベータが設置され、一般利用者の他、救急患者を所定階に運搬する病院施設用の運搬するエレベータシステムにおいて、
前記救急患者の少なくとも救急患者ＩＤ及び所定階への最優先データを規定する予約スケジュールを管理する病院管理装置と、前記救急患者や当該救急患者を運搬する運搬補助機器に装着され、救急患者用ＩＤ情報を記録する非接触情報記録媒体と、各階の乗場ドア近傍又は乗場の適宜な場所に設置され、前記情報記録媒体から救急患者用ＩＤ情報を読取り検知し、装置ＩＤ情報とともに出力する情報読取検知装置と、各情報読取検知装置の装置ＩＤと乗場階との関係を規定する乗場位置テーブルと、前記情報読取検知装置を介して前記情報記録媒体の救急患者用ＩＤ情報を検知したとき、号機割当てルール及び前記予約スケジュールに規定する号機指定の有無を考慮し、最適な号機エレベータを割当てる患者号機割当て手段と、前記号機エレベータを割当て後、前記乗場及び割当て号機エレベータのかご内へ緊急運転中を報知する緊急運転案内手段と、前記号機エレベータの割当て後、建物の基準階又は前記情報読取検知装置からの装置ＩＤ情報に基づいて前記乗場位置テーブルから取得されるＩＤ検知階に緊急運転して待機し、前記救急患者が該当号機エレベータに乗車した後、前記所定階へのかご呼び自動登録を行って直行運転する緊急運転制御手段とを有する運転制御処理部を設けたエレベータ制御装置とを備えたことを特徴とするエレベータシステム。
【手続補正３】
【補正対象書類名】明細書
【補正対象項目名】０００８
【補正方法】変更
【補正の内容】
【０００８】
上記課題を解決するために、実施の形態に係るエレベータシステムは、複数台の号機エレベータが設置され、一般利用者のほか、手術、処置等を行う入院患者などの入院患者を所定階に運搬する病院施設用のエレベータシステムであって、前記入院患者の少なくとも予約時間、患者ＩＤ及び乗車予約階等の予約スケジュールを管理する病院管理装置と、前記入院患者や当該入院患者を運搬する運搬補助機器に装着され、患者ＩＤ情報を記録する非接触情報記録媒体と、各階の乗場ドア近傍又は乗場の適宜な場所に設置され、前記情報記録媒体の患者ＩＤ情報を読取り検知する情報読取検知装置と、現在時刻が予約時間に達したとき、最適な前記号機エレベータを割当て、前記乗場及び割当て号機エレベータのかご内に優先運転中を報知するとともに、優先運転にて前記患者ＩＤに対応する前記乗車予約階で待機し、前記情報読取検知装置を介して前記患者ＩＤと一致する前記患者ＩＤ情報を検知したとき、かご呼び登録のもとに前記号機エレベータを前記所定階へ直行運転するエレベータ制御装置とを備えた構成である。